【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
圧縮解除されたフラクショナル色度座標（ＦＣＣ）フォーマットビデオデータを取得するために、１つまたは複数の逆適応伝達関数（ＴＦ）を使用して、圧縮されたＦＣＣフォーマットビデオデータを逆圧縮することと、
逆調整されたＦＣＣフォーマットビデオデータを取得するために、前記圧縮解除されたＦＣＣフォーマットビデオデータの対応する輝度成分がしきい値よりも低いとき、前記圧縮解除されたＦＣＣフォーマットビデオデータの色度成分を逆調整することと、ここにおいて、前記色度成分を逆調整することは、前記色度成分を、前記圧縮解除されたＦＣＣフォーマットビデオデータに関連するビットストリーム中でシグナリングされる値に設定することを備える、
ハイダイナミックレンジ（ＨＤＲ）および広色域（ＷＣＧ）ビデオデータを取得するために、前記ＦＣＣフォーマットから色表現フォーマットに前記逆調整されたＦＣＣフォーマットビデオデータの前記色度成分を変換することと
を備える方法。
【請求項２】
ビデオデータを処理する前記方法が、前記圧縮されたＦＣＣフォーマットビデオデータをビデオ復号した後にビデオデータを後処理する方法を備え、
前記方法が、
アップサンプリングされ圧縮されたＦＣＣフォーマットビデオデータを取得するために、前記圧縮されたＦＣＣフォーマットビデオデータの色度成分をアップサンプリングすることと、
前記圧縮されたＦＣＣフォーマットビデオデータを取得するために、前記アップサンプリングされ圧縮されたＦＣＣフォーマットビデオデータを逆量子化することと
をさらに備える、
請求項１に記載の方法。
【請求項３】
前記色表現フォーマットが、ＲＧＢ色空間またはＸＹＺ色空間のうちの１つを備え、
前記圧縮されたＦＣＣフォーマットビデオデータが、前記ＨＤＲおよびＷＣＧビデオデータに基づいて適応されるＦＣＣ色空間またはＹｕ’ｖ’色空間を備える、または
前記しきい値が、前記ＨＤＲおよびＷＣＧビデオデータの統計値に基づいて導出されるかまたは固定される、または
前記逆調整されたＦＣＣフォーマットビデオデータの前記色度成分を第２の色表現フォーマットに変換することと、前記ＨＤＲおよびＷＣＧビデオデータを取得するために、前記第２の色表現フォーマットの前記色度成分を第１の色表現フォーマットに変換することと、をさらに備える、
請求項１に記載の方法。
【請求項４】
前記圧縮解除されたＦＣＣフォーマットビデオデータの前記色度成分が、第１の色度成分を備え、
前記圧縮解除されたＦＣＣフォーマットビデオデータが、第２の色度成分を備え、
前記圧縮解除されたＦＣＣフォーマットビデオデータの前記色度成分を逆調整することが、前記第１の色度成分と前記第２の色度成分との両方を一緒に逆調整することまたは前記第１の色度成分と前記第２の色度成分との各々を別個に調整することのうちの１つを備える、
請求項１に記載の方法。
【請求項５】
前記圧縮されたＦＣＣフォーマットビデオデータの前記色度成分が、第１の色度成分を備え、
前記圧縮されたＦＣＣフォーマットビデオデータが、第２の色度成分を備え、
１つまたは複数の逆適応ＴＦを使用して前記圧縮されたＦＣＣフォーマットビデオデータの前記色度成分を逆圧縮することが、前記圧縮されたＦＣＣフォーマットビデオデータの前記第１の色度成分と前記第２の色度成分との各々に同じ逆適応ＴＦを適用すること、または前記圧縮されたＦＣＣフォーマットビデオデータの前記第１の色度成分と前記第２の色度成分との各々に異なる逆適応ＴＦを適用することのうちの１つを備える、
請求項１に記載の方法。
【請求項６】
前記圧縮されたＦＣＣフォーマットビデオデータの前記色度成分が、第１の色度成分を備え、
前記圧縮されたＦＣＣフォーマットビデオデータが、第２の色度成分を備え、
前記圧縮されたＦＣＣフォーマットビデオデータを逆圧縮することが、１つまたは複数の逆適応ＴＦを使用して前記圧縮されたＦＣＣフォーマットビデオデータを逆圧縮することを備え、ここにおいて、前記１つまたは複数の逆適応ＴＦを使用することが、
逆対数様ＴＦを前記圧縮されたＦＣＣフォーマットビデオデータの前記第１の色度成分と前記第２の色度成分との各々に適用すること、または
前記圧縮されたＦＣＣフォーマットビデオデータの輝度成分だけに逆対数様ＴＦを適用し、前記圧縮解除した輝度成分のレベルに応じて、前記圧縮されたＦＣＣフォーマットビデオデータの前記第１の色度成分と前記第２の色度成分とに逆適応線形ＴＦを適用すること
のうちの１つを備える、
請求項１に記載の方法。
【請求項７】
ビデオデータを処理する方法であって、
フラクショナル色度座標（ＦＣＣ）フォーマットビデオデータを取得するために、色表現フォーマットとＦＣＣフォーマットとの間でハイダイナミックレンジ（ＨＤＲ）および広色域（ＷＣＧ）ビデオデータの色度成分を変換することと、
調整されたＦＣＣフォーマットビデオデータを取得するために、前記ＦＣＣフォーマットビデオデータの対応する輝度成分がしきい値よりも低いとき、前記ＦＣＣフォーマットビデオデータの色度成分を調整することと、ここにおいて、前記色度成分を調整することは、黒またはグレーに対応する値に前記色度成分を設定すること、または、前記色度成分のある範囲内の隣接サンプルの色度成分の平均に前記色度成分を設定すること、を備える、
圧縮されたＦＣＣフォーマットビデオデータを取得するために、１つまたは複数の適応伝達関数（ＴＦ）を使用して、前記ＦＣＣフォーマットビデオデータを圧縮することと、
を備える方法。
【請求項８】
量子化されたＦＣＣフォーマットビデオデータを取得するために、前記圧縮されたＦＣＣフォーマットビデオデータを量子化することと、
符号化されるべき前処理されたビデオデータを取得するために、前記量子化されたＦＣＣフォーマットビデオデータをサブサンプリングすることと
をさらに備える、請求項７に記載の方法。
【請求項９】
前記色表現フォーマットが、ＲＧＢ色空間またはＸＹＺ色空間のうちの１つを備え、前記ＦＣＣフォーマットビデオデータが、前記ＨＤＲおよびＷＣＧビデオデータに基づいて適応されるＦＣＣ色空間またはＹｕ’ｖ’色空間を備える、または
前記ＦＣＣフォーマットビデオデータが範囲を超えるのを防止するために前記ＦＣＣフォーマットビデオデータを処理することをさらに備える、または
前記しきい値が、前記ＨＤＲおよびＷＣＧビデオデータの統計値に基づいて導出されるかまたは固定される、または
ビデオデータを処理する前記方法が、ビデオ符号化のためにビデオデータを前処理する方法を備え、前記方法が、ビデオエンコーダにおいて前記適応ＴＦおよび前記色度成分調整のための関連するパラメータと前記ＦＣＣフォーマットビデオデータとを推定することと、符号化ビットストリーム中で前記ビデオエンコーダからビデオデコーダに前記ＦＣＣフォーマットビデオデータおよび関連するパラメータをシグナリングすることと、をさらに備える、
請求項７に記載の方法。
【請求項１０】
前記ＦＣＣフォーマットビデオデータの前記色度成分が、第１の色度成分を備え、
前記ＦＣＣフォーマットビデオデータが、第２の色度成分を備え、
前記ＦＣＣフォーマットビデオデータの前記色度成分を調整することが、前記第１の色度成分と前記第２の色度成分との両方を一緒に調整することまたは前記第１の色度成分と前記第２の色度成分との各々を別個に調整することのうちの１つを備える、
請求項７に記載の方法。
【請求項１１】
前記ＦＣＣフォーマットビデオデータの前記色度成分が、第１の色度成分を備え、
前記ＦＣＣフォーマットビデオデータが、第２の色度成分を備え、
１つまたは複数の適応ＴＦを使用して、前記ＦＣＣフォーマットビデオデータの前記調整された色度成分を圧縮することが、前記ＦＣＣフォーマットビデオデータの前記第１の色度成分と前記第２の色度成分との各々に同じＴＦを適用すること、または前記ＦＣＣフォーマットビデオデータの前記第１の色度成分と前記第２の色度成分との各々に異なるＴＦを適用することのうちの１つを備える、
請求項７に記載の方法。
【請求項１２】
前記ＦＣＣフォーマットビデオデータの前記色度成分が、第１の色度成分を備え、
前記ＦＣＣフォーマットビデオデータが、第２の色度成分を備え、
１つまたは複数の適応ＴＦを使用して、前記ＦＣＣフォーマットビデオデータの前記調整された色度成分を圧縮することが、
前記ＦＣＣフォーマットビデオデータの前記第１の色度成分と前記第２の色度成分との各々に対数様ＴＦを適用すること、または、
前記ＦＣＣフォーマットビデオデータの輝度成分だけに対数様ＴＦを適用し、前記輝度成分のレベルに応じて、前記ＦＣＣフォーマットビデオデータの前記第１の色度成分と前記第２の色度成分とに適応線形ＴＦを適用すること
のうちの１つを備える、請求項７に記載の方法。
【請求項１３】
ビデオデータを処理する前記方法が、ビデオ符号化のためにビデオデータを前処理する方法を備え、前記方法が、
第１の色表現フォーマットから第２の色表現フォーマットに前記ＨＤＲおよびＷＣＧビデオデータの前記色度成分を変換することと、
前記第２の色表現フォーマットの前記色度成分を前記ＦＣＣフォーマットビデオデータに変換することと、
量子化されたＦＣＣフォーマットビデオデータを生成するために、前記圧縮されたＦＣＣフォーマットビデオデータを量子化することと、
ビデオ符号化されるべき前処理されたビデオデータを取得するために、前記量子化されたＦＣＣフォーマットビデオデータをダウンサンプリングすることと
を備える、請求項７に記載の方法。
【請求項１４】
ビデオデータを処理するように構成されたデバイスであって、
圧縮されたフラクショナル色度座標（ＦＣＣ）フォーマットビデオデータを記憶するように構成されたメモリと、
圧縮解除されたＦＣＣフォーマットビデオデータを取得するために、１つまたは複数の逆適応伝達関数（ＴＦ）を使用して、前記圧縮されたＦＣＣフォーマットビデオデータを逆圧縮することと、
逆調整されたＦＣＣフォーマットビデオデータを取得するために、前記圧縮解除されたＦＣＣフォーマットビデオデータの対応する輝度成分がしきい値よりも低いとき、前記圧縮解除されたＦＣＣフォーマットビデオデータの色度成分を逆調整することと、ここにおいて、前記色度成分を逆調整することは、前記色度成分を、前記圧縮解除されたＦＣＣフォーマットビデオデータに関連するビットストリーム中でシグナリングされる値に設定することを備える、
ハイダイナミックレンジ（ＨＤＲ）および広色域（ＷＣＧ）ビデオデータを取得するために、前記ＦＣＣフォーマットから色表現フォーマットに前記逆調整されたＦＣＣフォーマットビデオデータの前記色度成分を変換することと
を行うように構成されたプロセッサと
を備えるデバイス。
【請求項１５】
ビデオデータを処理するように構成されたデバイスであって、
ハイダイナミックレンジ（ＨＤＲ）および広色域（ＷＣＧ）ビデオデータを記憶するように構成されたメモリと、
フラクショナル色度座標（ＦＣＣ）フォーマットビデオデータを取得するために、色表現フォーマットとＦＣＣフォーマットとの間でＨＤＲおよびＷＣＧビデオデータの色度成分を変換することと、
調整されたＦＣＣフォーマットビデオデータを取得するために、前記ＦＣＣフォーマットビデオデータの対応する輝度成分がしきい値よりも低いとき、前記ＦＣＣフォーマットビデオデータの色度成分を調整することと、ここにおいて、前記色度成分を調整することは、黒またはグレーに対応する値に前記色度成分を設定すること、または、前記色度成分のある範囲内の隣接サンプルの色度成分の平均に前記色度成分を設定すること、を備える、
圧縮されたＦＣＣフォーマットビデオデータを取得するために、１つまたは複数の適応伝達関数（ＴＦ）を使用して、前記ＦＣＣフォーマットビデオデータを圧縮することと
を行うように構成されたプロセッサと
を備えるデバイス。